(57)【要約】【課題】魚礁本体の浮力調整を容易に行うことが可能であって、豊富な凹凸や穴などの形状を備え、良好な魚礁としての機能を発揮できる人工浮き魚礁が提供される。【解決手段】人工浮き魚礁１は、海面ＳＳ下に浮遊した状態で設置される略円筒カゴ型形状の魚礁本体１０と、海底ＢＳに沈設されたシンカーＳと、魚礁本体１０及びシンカーＳの間を連結し、シンカーＳに魚礁本体１０を係留する係留索ＭＲと、を有し、魚礁本体１０は、係留索ＭＲの一端と接続し、複数の枠体によって骨格が形成され、内部に空洞部２１を備える魚礁フレーム２０と、フロート基部及びフロート基部の周囲に配設され、魚礁本体１０に浮力を付与するフロート本体３３を備え、魚礁フレーム２０の空洞部２１に格納される複数のフロート３０と、を有する。【選択図】図１
2016096802.tif 000002
【特許請求の範囲】
【請求項１】
海面下に浮遊した状態で設置される魚礁本体と、
海底に沈設されたシンカーと、
前記魚礁本体及び前記シンカーの間を連結し、前記シンカーに前記魚礁本体を係留する係留索と、
を有する人工浮き魚礁であって、
前記魚礁本体は、
前記係留索の一端と接続し、複数の枠体によって骨格が形成され、内部に空洞部を備える魚礁フレームと、
フロート基部及び前記フロート基部の周囲に配設され、前記魚礁本体に浮力を付与するフロート本体を備え、前記魚礁フレームの前記空洞部に格納される１または複数のフロートと、
を有する人工浮き魚礁。
【請求項２】
前記フロート本体は、球形状を呈する請求項１に記載の人工浮き魚礁。
【請求項３】
前記空洞部内に複数の前記フロートが多段に積重された状態で格納される請求項１または２に記載の人工浮き魚礁。
【請求項４】
多段に積重し、上下方向に隣接する一対の前記フロートは、前記フロート本体が積重方向に対して互いに４５°回転した位置に配設される請求項３に記載の人工浮き魚礁。
【発明の詳細な説明】
【技術分野】
【０００１】
本発明は、人工浮き魚礁に関するものである。更に詳しくは、海面（表層）または海中（中層）に設置され、魚介類の生育に適した環境を創出する人工浮き魚礁に関するものである。
【背景技術】
【０００２】
従来、海底にコンクリートブロックや消波ブロック等の人工構造物を沈めたり、沈没した船舶等をそのまま利用したりすることで、魚類や貝類等の魚介類の生育に適した環境を人工的に創り出し、良好な漁場を形成するための人工漁礁が設置されている。この人工漁礁は、魚礁の表面に魚の餌となる藻類や生物等が付着することで餌場としての機能を有している。さらに、複数の凹凸や穴などを備えることによって、魚の隠れ場所や休息場所、あるいは産卵場所としての機能を有している。ここで、人工漁礁の中には、海面や海中に人工構造物等を浮遊させた状態で設置し、例えば、カツオやマグロ等の回遊魚が海中等の漂流物付近に集まる習性を利用して新たな漁場を形成する人工浮き魚礁がある（例えば、特許文献１参照。）。
【０００３】
人工浮き魚礁は、海底に沈められたコンクリートブロック等のシンカー（錘）と、シンカーに取り付けられた係留索と、当該係留索と連結され、海中に浮遊する魚礁本体とから主に構成されている。ここで、シンカー及び魚礁本体の間の係留索の長さを調整することにより、魚礁本体を海面付近や海中などの任意の深さに設置することができる。これにより、漁場を形成する対象となる魚の種類に応じて設置深さを変化させることができる。特に、海中に魚礁本体を設置した場合、船舶等の航行を妨げることがなく、特に好適なものとなる。人工浮き魚礁は、上記の海中以外に、例えば、淡水の湖、池、川、沼及び養殖用の人工池等の種々の水中及び水面付近において設置することが可能である。
【先行技術文献】
【特許文献】
【０００４】
【特許文献１】特開２００６−２９６２１５号公報
【発明の概要】
【発明が解決しようとする課題】
【０００５】
人工浮き魚礁は、海中または海面に浮遊した状態で設置するために、魚礁本体がある程度の浮力を備えている必要があった。ここで、浮力が過剰な場合、シンカーが海底から浮き上がり、海流に沿って当初設置位置から魚礁本体が移動する虞があった。更に、シンカー及び魚礁本体の間の係留索に大きな負荷が加わることがあった。人工浮き魚礁は、良好な漁場を形成するために、設置した場所に数年から数十年に亘って据え置かれるものであり、過剰な負荷が継続的に加わることで係留索が切れたり、伸びたりするなどの不具合を生じることがあった。したがって、魚礁本体の浮力を適切に調整する必要があった。しかしながら、一般的な魚礁本体は浮力調整の機能を有するものではなかった。
【０００６】
さらに、魚礁として良好な漁場を形成するためは、魚礁本体に藻類等が付着しやすく、小魚等が魚礁本体の内部に侵入し、外敵から隠れたり、休息したり、産卵したりするために、多くの凹凸や穴、隙間などを魚礁本体が備えている必要があった。しかしながら、このような凹凸や穴等の数を任意に増減させる機能を有する魚礁本体はほとんど知られていなかった。
【０００７】
本発明は、上記従来の事情に鑑みてなされたものであり、魚礁本体の浮力調整を容易に行うことが可能であって、豊富な凹凸や穴などの形状を備え、良好な魚礁としての機能を発揮可能な人工浮き魚礁が提供される。
【課題を解決するための手段】
【０００８】
本発明によれば、上記課題を解決した人工浮き魚礁が提供される。
【０００９】
［１］海面下に浮遊した状態で設置される魚礁本体と、海底に沈設されたシンカーと、前記魚礁本体及び前記シンカーの間を連結し、前記シンカーに前記魚礁本体を係留する係留索と、を有する人工浮き魚礁であって、前記魚礁本体は、前記係留索の一端と接続し、複数の枠体によって骨格が形成され、内部に空洞部を備える魚礁フレームと、フロート基部及び前記フロート基部の周囲に配設され、前記魚礁本体に浮力を付与するフロート本体を備え、前記魚礁フレームの前記空洞部に格納される１または複数のフロートと、を有する人工浮き魚礁。
【００１０】
［２］前記フロート本体は、球形状を呈する前記［１］に記載の人工浮き魚礁。
【００１１】
［３］前記空洞部内に複数の前記フロートが多段に積重された状態で格納される前記［１］または［２］に記載の人工浮き魚礁。
【００１２】
［４］多段に積重し、上下方向に隣接する一対の前記フロートは、前記フロート本体が積重方向に対して互いに４５°回転した位置に配設される前記［３］に記載の人工浮き魚礁。
【発明の効果】
【００１３】
本発明の人工浮き魚礁によれば、魚礁フレームの空洞部に格納するフロートの数及び／またはフロートに取設されるフロート本体の数を増減することにより、魚礁本体の浮力の調整を容易に行うことができる。
【００１４】
更に、本発明の人工浮き魚礁によれば、空洞部に格納される複数のフロートによって、凹凸や穴などのサイズや数を任意のものとすることができ、漁場の形成に適する環境を容易に構築することができる。
【図面の簡単な説明】
【００１５】
【図１】本発明の一実施形態の人工浮き魚礁の概略構成を示す説明図である。
【図２】魚礁本体の構成を示す斜視図である。
【図３】魚礁本体の構成を示す正面図である。
【図４】魚礁本体の構成を示す平面図である。
【図５】フロートの構成を示す斜視図である。
【発明を実施するための形態】
【００１６】
以下、図面を参照しつつ本発明の実施の形態について説明する。なお、本発明は、以下の実施形態に限定されるものではなく、本発明の趣旨を逸脱しない範囲において、当業者の通常の知識に基づいて、以下の実施形態に対して適宜変更、修正、改良等を加えるものであっても構わない。
【００１７】
図１は、本発明の一実施形態の人工浮き魚礁１の概略構成を示す説明図である。更に、図２は、魚礁本体１０の構成を示す斜視図であり、図３は、魚礁本体１０の構成を示す正面図であり、図４は、魚礁本体１０の構成を示す平面図であり、図５は、フロート３０の構成を示す斜視図である。なお、図４は、後述する円盤部２６及び延長フレーム２７等の構成の一部を省略したものを図示している。
【００１８】
本実施形態の人工浮き魚礁１は、図１〜図５に示すように、魚礁本体１０と、海底ＢＳに沈設されるコンクリートブロック製のシンカーＳと、魚礁本体１０及びシンカーＳとの間を連結し、シンカーＳに魚礁本体１０を係留するための係留索ＭＲとを有している。以下、各構成についてそれぞれ詳述する。
【００１９】
魚礁本体１０は、金属製の枠体によって骨格が形成された略円筒形状の魚礁フレーム２０と、魚礁フレーム２０の内部の空洞部２１に格納された複数のフロート３０と、魚礁フレーム２０の底部から延設され、係留索ＭＲと接続される係留部４０とから主に構成されている。更に詳しく説明すると、魚礁フレーム２０は、規定間隔で上下方向に平行に沿って並設された複数のリング状のフレーム２２と、鉛直方向に沿って配置され、上述の横フレーム２２との交点を溶接等で接合された複数の長棒状の縦フレーム２３とを備え、全体として内部が空洞の円柱状のカゴ型構造を呈している。
【００２０】
ここで、魚礁フレーム２０のフレーム側面は、横フレーム２２及び縦フレーム２３によって区画された略網状を呈し、内部に設けられた空洞部２１と魚礁フレーム２０の外部とが連通している。そのため、空洞部２１に対して水、魚類Ｆ等が外部から自由に流入することができるとともに、一方、空洞部２１から水、魚類Ｆ等が外部に向かって自由に流出することができる。
【００２１】
さらに、魚礁フレーム２０の底部に位置する横フレーム２２には、略水平方向に沿って複数本の横架フレーム２４が架設されている。ここで、リング状の横フレーム２２及び複数本の横架フレーム２４によって区画された箇所は、フロート３０よりも小さくなるように設計されている。そのため、空洞部２１に格納されたフロート３０が魚礁フレーム２０の底部から外部に流出することが規制されるとともに、水や魚類Ｆ等の侵入及び流出は容易となっている。
【００２２】
また、縦フレーム２３の上端には、中央に孔状の円孔部２５を有する平板ドーナツ状の円盤部２６が取付けられている。これにより、複数の横フレーム２２、複数の縦フレーム２３、複数の横架フレーム２４、及び円盤部２６によって囲まれた空間である空洞部２１が魚礁本体１０の内部に構築される。更に、円盤部２６の上部には、それぞれの縦フレーム２３の上端から略棒状の延長フレーム２７が延設されている。
【００２３】
そして、延長フレーム２７の一部及び先端に半円形状に湾曲した湾曲フレーム２８がそれぞれ接合されている。なお、互いに隣り合う延長フレーム２７の一部には、上記湾曲フレーム２８が接合されず、対向する一対の開孔部２９ａ，２９ｂが設けられている。かかる開孔部２９ａ，２９ｂは、円盤部２６の上で円孔部２５を通してフロート３０を格納する作業を行う作業員の作業用通路の一部として利用可能である。また、円盤部２６は溶接等によって完全に固定されるものではなく、任意に着脱可能であってもよい。これにより、空洞部２１に複数のフロート３０を格納する格納作業が容易となる。
【００２４】
フロート３０は、上下方向に開孔した貫通孔部３１を有し、全体が略立方体形状を呈するフロート基部３２と、フロート基部３２の周囲の８つの各頂点位置に着脱自在に配設され、魚礁本体１０に浮力を付与する機能を有する８つの略球形状のフロート本体３３とを有して構成されている。ここで、フロート３０は、ＡＢＳ樹脂を用いて構成されている。
【００２５】
フロート基部３２は、図５に示すように、略立方体形状の８つの各頂点位置付近に、互いに対向して所定間隔だけ離間した一対の取付片３４ａ，３４ｂからなる取付機構部３５をそれぞれ有している。一方、フロート本体３３は、略球形状のフロート部３６と、フロート部３６の球表面から突設され、前述の取付機構部３５の取付片３４ａ，３４ｂの間に挿通可能な平板状のフロート固定片３７とを有している。
【００２６】
係る構造を採用することにより、一対の３４ａ，３４ｂの間にフロート固定片３７を挿入し、当該挿入状態を保持するように固定することで、フロート基部３２に対して最大で８つの球形状のフロート部３６を取設することができる。ここで、球形状のフロート部３６の内部は空洞となっており、係る空洞が外部に対して密閉されている。この空洞により、フロート３０に浮力を生じさせることができる。
【００２７】
また、フロート基部３２の取付機構部３５と、フロート本体３３のフロート固定片３７との固定は、周知の固定手段を採用することができる。例えば、互いに対向する一対の取付片３４ａ，３４ｂ及びフロート固定片３７のそれぞれにボルト孔（図示しない）の位置を合わせて貫設し、当該ボルト孔に挿通可能な締結用ボルト３８及び締結用ボルト３８に螺設可能な締結用ナット３９を用いて固定することができる。
【００２８】
すなわち、締結用ボルト３８及び締結用ナット３９の螺設及び解除を行うことにより、フロート基部３２に対してフロート本体３３を着脱自在とすることができる。フロート基部３２に取設するフロート本体３３の数を増減させることにより、当該フロート３０の浮力の大きさを任意に調整することができる。なお、本実施形態の人工浮き魚礁１において、フロート基部３２の全ての取付機構部３４に対してそれぞれフロート本体３３を取設したものを示しているが、これに限定されるものではない。
【００２９】
加えて、本実施形態の人工浮き魚礁１において、複数のフロート３０が魚礁本体１０の内部の空洞部２１に規則正しく配列した状態で格納されている。更に詳しく説明すると、図３及び図４に示すように、四つのフロート３０が上方視で正方形状に配置され、係る四つのフロート３０で一つの段を構成している。この四つのフロート３０からなる段が上下方向に積重された状態で空洞部２１に格納されている。
【００３０】
このとき、一つのフロート３０の上に積重される他段のフロート３０は、積重方向（図３における紙面上下方向に相当）に対し、フロート基部３２の貫通孔部３１を中心軸として、フロート本体３３がそれぞれ４５°ずれた位置に配設されている。その結果、下段側のフロート３０の互いに隣接する球形状のフロート本体３３の間に上段側のフロート３０のフロート本体３３が配設される。これにより、球形状のフロート部３６を有するフロート本体３３が互いに重なり合い、かつ、安定した状態で積重される。
【００３１】
これにより、複数段に積重されたフロート３０には、上下方向及び／又は左右方向にフロート本体３３のフロート部３６の間に多くの隙間が形成される。これにより、外敵から身を守るためや休憩のために、複数の隙間に小さな魚類Ｆ等が侵入しやすくなる。更に、フロート基部３２に設けられた貫通孔部３１を介して魚礁本体１０の内部を上下方向に移動することができる。このように、空洞部２１内の複数のフロート３０には、多くの凹凸、隙間、及び空洞などの魚類Ｆが好む習性の場所が多数設けられている。そのため、藻類が付着しやすくなり、係る藻類を餌とする小魚、及び当該小魚を餌とする魚が本実施形態の人工浮き魚礁１の近くに寄ってくる。これにより、豊かな漁場を形成することができる。なお、空洞部２１に格納するフロート３０を任意に増減することにより、上記凹凸や隙間などの数を調整することができる。これにより、漁場を形成する対象の魚類Ｆの習性に応じたものにすることができる。更に、これらの変更も容易に行うことができ、適宜習性しながら漁場の形成が可能となる。
【００３２】
次に、本実施形態の人工浮き魚礁１の使用例について、主に図１に基づいて説明する。なお、魚礁本体１０の魚礁フレーム２０には、予め複数のフロート３０が規則正しく配列して格納されているものとする。その後、魚礁フレーム２０の底部から延設された係留部４０に係留索ＭＲの一端を接続する。ここで、係留部４０は、魚礁フレーム２０の最下部の横フレーム２２の複数箇所にそれぞれ一端が接続し、略円錐形状を呈するロープ状の部材である（図３参照）。そして、略円錐形状の索接続部４１と係留索ＭＲの一端とが接続される。
【００３３】
更に、係留索ＭＲの他端を海底ＢＳに沈設するシンカーＳと接続する。これにより、係留索ＭＲを介してシンカーＳ及び魚礁本体１０が連結される。ここで、シンカーＳは、コンクリートブロック製であるため、水よりも比重が重く、水中で当然沈むものである。一方、魚礁本体１０は、魚礁フレーム２０に格納された複数のフロート３０によって与えられる浮力によって水中で海面ＳＳに向かって浮き上がろうとする力が働くものである。
【００３４】
そして、係留索ＭＲで連結されたシンカーＳ及び魚礁本体１０を海中に投入する。これにより、図１に示すように、シンカーＳは海底ＢＳに沈設される。一方、魚礁本体１０はフロート３０の浮力によって浮き上がる。フロート３０によって海面ＳＳに向かって浮き上がろうとする力が働く魚礁本体１０は、シンカーＳと接続した係留索ＭＲによって、当該係留索ＭＲの長さ以上は浮き上がることができない。
【００３５】
これにより、海面ＳＳから一定の深さで魚礁本体１０を浮いた状態にすることができる。なお、係留索ＭＲの長さを調整することにより、海面ＳＳから魚礁本体１０までの深さを任意のものとすることができる。すなわち、漁場を形成する対象となる魚類Ｆの種に応じて適する深さに魚礁本体１０を設置することができる。特に、海中（中層領域）に魚礁本体１０を設置することにより、船舶等の航行を阻害することがなく、安全に漁場を形成することができる。さらに、係る中層領域に魚礁本体１０を設置することで、カツオやマグロ等の回遊魚に適した漁場を形成することができる。
【００３６】
人工浮き魚礁１は、数年から数十年に亘って設置状態が維持される。これにより、魚礁フレーム２０及びフロート３０の表面に藻類が付着し、藻類を餌にする小魚が魚礁本体１０の周囲に集まりやすくなる。また、本実施形態の人工浮き魚礁１は、魚礁フレーム２０及びフロート３０の間、及び、上下及び左右に互いに隣接する複数のフロート３０の間、及びフロート基部３２の貫通孔部３１等、複数の凹凸や隙間、穴などを有している。
【００３７】
そのため、休息や産卵のための場所として効果的に使用することが可能となり、良好な漁場が形成されやすくなる。特に、フロート３０の数を増減することにより、魚礁本体１０の浮力の大きさを調整することができるとともに、魚礁フレーム２０内の上記隙間や穴の数の調整をすることができる。これにより、漁場を形成する魚の種類に合わせて隙間や穴などを任意に設置することができ、より好適な漁場を形成することができる。
【００３８】
また、空洞部２１に格納するフロート３０の数を調整することにより、魚礁本体１０の浮力を調整し、係留索ＭＲに無理な負荷がかかることを防ぐことができる。その結果、係留索ＭＲの耐久性を著しく低下させることがない。長期間に亘って海中に設置される人工浮き魚礁１にとって特に好適なものとなる。
【産業上の利用可能性】
【００３９】
本発明は、海底下に浮遊した状態で設置され、回遊魚等の魚介類の生育を促進し、豊かな漁場を形成することができる人工浮き魚礁として利用することができる。
【符号の説明】
【００４０】
１：人工浮き魚礁、１０：魚礁本体、２０：魚礁フレーム、２１：空洞部、２２：横フレーム、２３：縦フレーム、２４：横架フレーム、２５：円孔部、２６：円盤部、２７：延長フレーム、２８：湾曲フレーム、２９ａ，２９ｂ：開口部、３０：フロート、３１：貫通孔部、３２：フロート基部、３３：フロート本体、３４ａ，３４ｂ：取付片、３５：取付機構部、３６：フロート部、３７：フロート固定片、３８：締結用ボルト、３９：締結用ナット、４０：係留部、４１：索接続部、ＢＳ：海底、ＭＲ：係留索、ＳＳ：海面、Ｓ：シンカー。
【図１】
2016096802.tif 000003
【図２】
2016096802.tif 000004
【図３】
2016096802.tif 000005
【図４】
2016096802.tif 000006
【図５】
2016096802.tif 000007